(57)【要約】      （修正有）【課題】結露による水分や唾液の水分の付着によりバルブがリードプレートの面に貼りつくことがなく、異音を発生することがなくなるスライド式クロマチックハーモニカバルブはりつき防止シート付リードプレートを提供する。【解決手段】スライド式クロマチックハーモニカのリードプレート２において、そのバルブ４とリードプレート２の間にバルブ４の大きさより大きめで、リード３に接触することが無いようにリードプレート２に設けられたリード用の長方形の穴と同形状の穴を設けた、厚さが０．０５ｍｍ〜０．２ｍｍのプラスティック製のバルブ貼りつき防止シート８をリードプレート２の面に貼り付けて形成する。【選択図】図３
0003197647.tif 000002
【実用新案登録請求の範囲】
【請求項１】
通常のスライド式クロマチックハーモニカのリードプレートとそのリードプレートに備えたバルブの間に、バルブの大きさより大きめで、リードに接触することが無いようにリードプレートに設けられたリード用の長方形の穴と同形状の穴を設けた、厚さが０．０５ｍｍ〜０．２ｍｍのプラスティック製シートをリードプレートの面に貼り付けて形成したことを特徴とするスライド式クロマチックハーモニカバルブはりつき防止シート付リードプレート。
【考案の詳細な説明】
【技術分野】
【０００１】
本考案は、半音切り替え可能なスライド式クロマチックハーモニカに関するものである。
【背景技術】
【０００２】
スライド式クロマチックハーモニカは、音を発生させるリード及び音漏れを防ぐためのバルブを備えたリードプレートとそのリードプレートを固定させるボディー、そのリードプレートを保護するカバー、全音と半音を切り替えるスライドレバー及び息を吹き吸いするために設けた複数の穴を有するマウスピースにより構成されている。
【先行技術文献】
【特許文献】
【０００３】
【特許文献１】特許公開２００８−１２２５２９
【特許文献２】実用新案２０１３−００１６３６
【考案の概要】
【考案が解決しようとする課題】
【０００４】
通常のスライド式クロマチックハーモニカの音は、マウスピースの穴から吹き吸いする空気がリードプレートに備えてあるリードを通過し、リードが振動することによって音が出る。リードとバルブを備えたリードプレートは、スライド式クロマチックハーモニカのボディーの前側と後側にそれぞれ1枚ずつ備えてあり、それぞれのリードプレートの表と裏の面にそれぞれ吹き音用のリードと吸い音用のバルブ及び吸い音用のリードと吹き音用のバルブが備えてある。
【０００５】
吹き音時、吹き音用の裏の面のリードが振動するときそのリードプレートの裏の面のバルブが閉じて、このとき同時にリードプレートの表の面のバルブが開くことによって吹いた空気が漏れることなく、リードに伝わり振動し音が出る。また吸い音時も同様で、吸い音用の表の面のリードが振動するときそのリードプレートの表の面のバルブが閉じて、同時に裏の面のバルブが開くことによって吸った空気が漏れることなくリードに伝わり振動し音が出る。
【０００６】
このように吹き音時、吸い音時においてリードプレートに備えたバルブが開くとき、リードプレートの面とバルブが結露による水分や唾液の水分の付着により貼りつき、その貼りついたバルブがリードプレートから離れるときに異音を出す欠点があった。  
【課題を解決するための手段】
【０００７】
通常のスライド式クロマチックハーモニカのリードプレートとそのリードプレートに備えたバルブの間に、バルブの大きさより大きめで、リードに接触することが無いようにリードプレートに設けてあるリード用の長方形の穴と同形状の穴を設けた、厚さが０．０５ｍｍ〜０．２ｍｍのプラスティック製シートをリードプレートの面に貼り付けて形成する。
以上の構成よりなるスライド式クロマチックハーモニカバルブはりつき防止シート付リードプレート。
【考案の効果】
【０００８】
従来のリードプレートとバルブの間に、バルブの大きさより大きめでリードに接触することの無いようにリードプレートに設けてあるリード用の長方形の穴と同形状の穴を設けた、厚さ０．０５ｍｍ〜０．２ｍｍのプラスティック製シートをリードプレートの面に貼り付けることで、結露による水分や唾液の水分の付着によりバルブがリードプレートの面に貼りつくことがなく、異音を発生することがなくなる。
【図面の簡単な説明】
【０００９】
【図１】通常のスライド式クロマチックハーモニカを分解した斜視図
【図２】通常のスライド式クロマチックハーモニカのリードプレートの斜視図
【図３】本考案のリードプレートの斜視図
【考案を実施するための形態】
【００１０】
以下、本考案の実施の形態を説明する。
スライド式クロマチックハーモニカで、音を発生させるリード（３）と吹き吸いするときに空気漏れを防ぐためのバルブ（４）で構成されているリードプレート（２）において、そのリードプレート（２）とバルブ（４）の間に、バルブ（４）の大きさより大きめでかつリード（３）が振動した時に接触することの無いようにリードプレート（２）に設けてあるリード用の長方形の穴と同形状の穴を設けた厚さ０．０５ｍｍ〜０．２ｍｍのプラスティック製のバルブ貼りつき防止シート（８）をリードプレート（２）の面に貼り付けて形成する。
本考案は以上のような構造である。
【００１１】
図１と図２に示すように、通常のスライド式クロマチックハーモニカは、カバー（１）、リードプレート（２）、リード（３）、バルブ（４）、ボディー（５）、スライドレバー（６）、マウスピース（７）により構成されている。通常のリードプレート（２）は音を発生させるリード（３）と吹き吸いするときに空気漏れを防ぐためのバルブ（４）により構成されている。そのスライド式クロマチックハーモニカの音は、マウスピース（７）の穴から吹き吸いする空気がリードプレート（２）に備えてあるリード（３）を通過し、リード（３）が振動することによって音が出る。リード（３）とバルブ（４）を備えたリードプレート（２）は、スライド式クロマチックハーモニカのボディー（５）の前側と後側にそれぞれ1枚ずつ備えてあり、それぞれのリードプレート（２）の表と裏の面にそれぞれ吹き音用のリード（３）と吸い音用のバルブ（４）及び吸い音用のリード（３）と吹き音用のバルブ（４）が備えてある。
【００１２】
吹き音時、吹き音用の裏の面のリード（３）が振動するときそのリードプレート（２）の裏の面のバルブ（４）が閉じて、このとき同時にリードプレート（２）の表の面のバルブ（４）が開くことによって吹いた空気が漏れることなく、リード（３）に伝わり振動し音が出る。また吸い音時も同様で、吸い音用の表の面のリード（３）が振動するときそのリードプレート（２）の表の面のバルブ（４）が閉じて、同時にリードプレート（２）の裏の面のバルブ（４）が開くことによって吸った空気が漏れることなくリード（３）に伝わり振動し音が出る。
【００１３】
このように吹き音時、吸い音時においてリードプレート（２）に備えたバルブ（４）が開くとき、リードプレート（２）の面とバルブ（４）が結露による水分や唾液の水分の付着により貼りつき、その貼りついたバルブ（４）がリードプレート（２）から離れるときに異音を出す欠点があった。
【００１４】
本考案は、図３に示すようにリードプレート（２）とバルブ（４）の間にバルブ貼りつき防止シート（８）を設けることにより、リードプレート（２）が金属でできているため吹き吸いしたときに発生する急激な温度変化で発生する結露を軽減させ、またバルブ貼りつき防止シート（８）は唾液などの水分の付着も軽減させることによりバルブ（４）の貼りつきをなくし、異音の発生をなくす効果がある。
【符号の説明】
【００１５】
１    カバー
２    リードプレート
３    リード
４    バルブ
５    ボディー
６    スライドレバー
７    マウスピース
８    バルブ貼りつき防止シート
【図１】
0003197647.tif 000003
【図２】
0003197647.tif 000004
【図３】
0003197647.tif 000005